(57)【要約】【課題】本発明は多機能の水晶ネックレスを開示した。【解決手段】十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。【選択図】図１
2020157035.tif 000002
【特許請求の範囲】
【請求項１】
正面視で、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロック７が前記位置制限ブロックをきつく挟み、その作用は前記旋転機構の制御によって異なる道具を切換えるのであることを特徴とする多機能の水晶ネックレス。
【請求項２】
前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、その作用は回転している前記推し動かしギヤによって前記Ｌ型ロッドを推し動かして運動させるのであることを特徴とする請求項１に記載の多機能の水晶ネックレス。
【請求項３】
前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には刃物が設置され、右側の前記位置制限ブロックの右端にはソーブレードが設置されたことを特徴とする請求項１に記載の多機能の水晶ネックレス。
【発明の詳細な説明】
【技術分野】
【０００１】
本発明は水晶装飾品分野に関わり、具体的には多機能の水晶ネックレスである。
【背景技術】
【０００２】
現段階の水晶装飾品は観賞と着用機能を持ち、他の機能が付いていなく、一部のネックレスの中には小さい道具が隠れており、しかし、その操作が複雑で、速く操作をして状況に対処するのに便利ではなく、また殆どのはただ単一の状況に対処できる。
【先行技術文献】
【特許文献】
【０００３】
【特許文献１】中国特許出願公開第１０５８５２３３５号明細書
【発明の概要】
【発明が解決しようとする課題】
【０００４】
本発明は多機能の水晶ネックレスを提供し、既存技術にある上記の欠点を解消することを目的とする。
【課題を解決するための手段】
【０００５】
上記の目的を実現するため、本発明は以下の技術プランを提供する：多機能の水晶ネックレスであり、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、その作用は前記旋転機構の制御によって異なる道具を切換えるのである。
【０００６】
好ましくは、前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、その作用は回転している前記推し動かしギヤによって前記Ｌ型ロッドを推し動かして運動させるのである。
【０００７】
好ましくは、前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には刃物が設置され、右側の前記位置制限ブロックの右端にはソーブレードが設置された。
【発明の効果】
【０００８】
上記により、本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【図面の簡単な説明】
【０００９】
本発明の実施例又は既存技術の技術ラプンを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜３をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１０】
【図１】図１は本発明の多機能の水晶ネックレスの全体全断面の上面構造略図
【図２】図２は本発明の多機能の水晶ネックレスの全体全断面の左面拡大構造略図
【図３】図３は本発明の多機能の水晶ネックレスの移動機構の全断面の左面拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３を参考し、本発明の実施例は、多機能の水晶ネックレスであり、十字架１及び前記十字架１と連結されたネックレス１０を含み、前記十字架１の中には十字形チャンバ２が設置され、前記十字形チャンバ２の中には旋転機構４１と移動機構４２とが設置され、前記旋転機構４１は上方に開口した押しチャンバ３６を含み、前記押しチャンバ３６の下端壁には上方に開口した環状溝３８が設置され、前記環状溝３８の中には回転できる環状ブロック３７が設置され、前記押しチャンバ３６の中には押し板３４が設置され、前記押し板３４の上端には水晶３３が設置され、また前記押し板３４の下端には下端が前記十字形チャンバ２の中に位置している旋転軸８が設置され、前記押し板３４の下端面にはまた下端が前記環状ブロック３７と連結された二つの圧縮ばね３５が設置され、前記旋転軸８の下端には旋転ギヤ９と回転ギヤ１９とが固定的に連結され、前記十字形チャンバ２の上端壁には回転軸１２が回転できるように連結され、前記回転軸１２には転向ギヤ２０がスライドできるように連結され、前記転向ギヤ２０の前端には連結板１７が固定され、前記連結板１７の中には上方に開口したスライドチャンバ１５が設置され、前記十字形チャンバ２の中には二本の針２６が設置され、前記スライドチャンバ１５の下端壁には前記針２６を収納できるスライド溝１６が設置され、前記スライド溝１６の下端壁の中には二つの電磁石２５が設置され、前記十字形チャンバ２の前端壁には前記針２６に貫通されることができる貫通穴１８が設置され、前記十字形チャンバ２の上端壁の中には下方に開口した移動チャンバ２８が設置され、前記移動チャンバ２８の中には移動ブロック３０がスライドできるように連結され、前記移動ブロック３０の下端には下端が前記十字形チャンバ２の中に位置している移動ロッド２９が固定され、前記移動ロッド２９の下端にはＬ型ロッド１１が固定され、前記Ｌ型ロッド１１の前端には下端が前記スライドチャンバ１５の中に位置しており、また前記針２６を押し動かして運動させることができる推し動かし板２４が設置され、前記移動機構４２は前記十字形チャンバ２の中に位置している二つの位置制限ブロック４を含み、前記十字形チャンバ２の前後端壁の中にはいずれも前記十字形チャンバ２に連通している二つの挟み溝５が設置され、前記挟み溝５の片側端壁には挟みばね６が固定的に連結され、前記挟みばね６の一端には一端が前記十字形チャンバ２の中に位置している台形ブロック７が設置され、二つの前記台形ブロック７が前記位置制限ブロック４をきつく挟み、その作用は前記旋転機構４１の制御によって異なる道具を切換えるのである。
【００１３】
有益なように、前記旋転機構４１はまた前記回転軸１２の中に位置しており、且つ下方に開口した昇降チャンバ４３を含み、前記昇降チャンバ４３の上端壁には昇降ばね３２が設置され、前記昇降ばね３２の下端には下端が前記十字形チャンバ２の中に位置している昇降ロッド３１が設置され、前記昇降ロッド３１の下端には受け板２３が設置され、前記受け板２３の上端には円環ブロック２２が設置され、前記転向ギヤ２０の中には下方に開口した環状チャンバ２１が設置され、前記円環ブロック２２の上端が前記環状チャンバ２１の中に位置しており、前記回転軸１２には右端が前記Ｌ型ロッド１１と噛み合うように連結された推し動かしギヤ１３が固定的に連結され、前記推し動かしギヤ１３の前端が前記旋転ギヤ９と噛み合うように連結され、その作用は回転している前記推し動かしギヤ１３によって前記Ｌ型ロッド１１を推し動かして運動させるのである。
【００１４】
有益なように、前記移動機構４２は、また前記移動チャンバ２８の左右端壁の中に位置しており、且つ下方に開口した二つの平行移動チャンバ４４を含み、前記平行移動チャンバ４４の中にはスライドブロック４０が設置され、前記スライドブロック４０の下端には下端が前記十字形チャンバ２の中に位置している平行移動ロッド２７が設置され、前記平行移動ロッド２７の下端が前記針２６と固定的に連結され、前記スライドブロック４０の下端にはまた二つのスライドばね３９が設置され、左側の前記位置制限ブロック４の左端には刃物３が設置され、右側の前記位置制限ブロック４の右端にはソーブレード１４が設置された。
【００１５】
以下、出願人は付図１〜３及び上記本出願の多機能の水晶ネックレスの具体的な構成を参考して本願の多機能の水晶ネックレスの使用方法を詳しく紹介する：
【００１６】
初期状態に、推し動かし板２４が磁性を持っている。
【００１７】
針２６を押し出す時、電磁石２５が作動して針２６を下方へ運動させてスライド溝１６の中に入らせ、スライドばね３９を圧縮し、水晶３３を旋転させ、押し板３４と、旋転軸８と、推し動かしギヤ１３と旋転ギヤ９とを回転連動させ、それによってＬ型ロッド１１を前方へ運動連動させ、それによって推し動かし板２４と針２６とを前方へ運動連動させ、それによって針２６の前端を貫通穴１８を通して押し出す。
【００１８】
ソーブレード１４又は刃物３を押し出す時、押し板３４と水晶３３とを下方へ押し、それによって圧縮ばね３５を圧縮し、旋転軸８と、回転ギヤ１９と旋転ギヤ９とが下方へ運動し、それによって回転ギヤ１９が転向ギヤ２０と噛み合い  、押し板３４を下方へ押し続け、それによって旋転ギヤ９が転向ギヤ２０を下方へ運動連動させ、それによって連結板１７と、受け板２３と昇降ロッド３１とが下降し、昇降ばね３２を連結板１７が完全に外部空間に位置するまで引っ張り、そして押し板３４を旋転させ、それによって旋転軸８と転向ギヤ２０とを回転連動させ、それによって連結板１７をソーブレード１４又は刃物３の下側に位置するまで回転連動させ、押し板２４を放し、昇降ばね３２と圧縮ばね３５との作用の下で連結板１７が上方へ運動し、電磁石２５が作動し、位置制限ブロック４を台形ブロック７の摩擦を克服して下降させ、ソーブレード１４又は刃物３をスライドチャンバ１５の中に位置させ、以上のステップを繰り返し、ソーブレード１４又は刃物３の一端を貫通穴１８に正対させた後、旋転ギヤ９が推し動かしギヤ１３と噛み合った後、Ｌ型ロッド１１の作用の下でソーブレード１４又は刃物３を押し出す。
【００１９】
本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020157035.tif 000003
【図２】
2020157035.tif 000004
【図３】
2020157035.tif 000005
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
正面視で、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって異なる道具を切り替えられることを特徴とする多機能の水晶ネックレス。
【請求項２】
前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させることを特徴とする請求項１に記載の多機能の水晶ネックレス。
【請求項３】
前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には刃物が設置され、右側の前記位置制限ブロックの右端にはソーブレードが設置されたことを特徴とする請求項１に記載の多機能の水晶ネックレス。
【手続補正２】
【補正対象書類名】明細書
【補正対象項目名】全文
【補正方法】変更
【補正の内容】
【発明の詳細な説明】
【技術分野】
【０００１】
本発明は水晶装飾品分野に関わり、具体的には多機能の水晶ネックレスである。
【背景技術】
【０００２】
現段階の水晶装飾品は観賞と着用機能を持ち、他の機能が付いていなく、一部のネックレスの中には小さい道具が隠れており、しかし、その操作が複雑で、速く操作をして状況に対処するのに便利ではなく、また殆どのはただ単一の状況に対処できる。
【先行技術文献】
【特許文献】
【０００３】
【特許文献１】中国特許出願公開第１０５８５２３３５号明細書
【発明の概要】
【発明が解決しようとする課題】
【０００４】
本発明は多機能の水晶ネックレスを提供し、既存技術にある上記の欠点を解消することを目的とする。
【課題を解決するための手段】
【０００５】
上記の目的を実現するため、本発明は以下の技術プランを提供する：多機能の水晶ネックレスであり、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって異なる道具を切り替えられる。
【０００６】
好ましくは、前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させる。
【０００７】
好ましくは、前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には刃物が設置され、右側の前記位置制限ブロックの右端にはソーブレードが設置された。
【発明の効果】
【０００８】
上記により、本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【図面の簡単な説明】
【０００９】
本発明の実施例又は既存技術の技術ラプンを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜３をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１０】
【図１】図１は本発明の多機能の水晶ネックレスの全体全断面の上面構造略図
【図２】図２は本発明の多機能の水晶ネックレスの全体全断面の左面拡大構造略図
【図３】図３は本発明の多機能の水晶ネックレスの移動機構の全断面の左面拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３を参考し、本発明の実施例は、多機能の水晶ネックレスであり、十字架１及び前記十字架１と連結されたネックレス１０を含み、前記十字架１の中には十字形チャンバ２が設置され、前記十字形チャンバ２の中には旋転機構４１と移動機構４２とが設置され、前記旋転機構４１は上方に開口した押しチャンバ３６を含み、前記押しチャンバ３６の下端壁には上方に開口した環状溝３８が設置され、前記環状溝３８の中には回転できる環状ブロック３７が設置され、前記押しチャンバ３６の中には押し板３４が設置され、前記押し板３４の上端には水晶３３が設置され、また前記押し板３４の下端には下端が前記十字形チャンバ２の中に位置している旋転軸８が設置され、前記押し板３４の下端面にはまた下端が前記環状ブロック３７と連結された二つの圧縮ばね３５が設置され、前記旋転軸８の下端には旋転ギヤ９と回転ギヤ１９とが固定的に連結され、前記十字形チャンバ２の上端壁には回転軸１２が回転できるように連結され、前記回転軸１２には転向ギヤ２０がスライドできるように連結され、前記転向ギヤ２０の前端には連結板１７が固定され、前記連結板１７の中には上方に開口したスライドチャンバ１５が設置され、前記十字形チャンバ２の中には二本の針２６が設置され、前記スライドチャンバ１５の下端壁には前記針２６を収納できるスライド溝１６が設置され、前記スライド溝１６の下端壁の中には二つの電磁石２５が設置され、前記十字形チャンバ２の前端壁には前記針２６に貫通されることができる貫通穴１８が設置され、前記十字形チャンバ２の上端壁の中には下方に開口した移動チャンバ２８が設置され、前記移動チャンバ２８の中には移動ブロック３０がスライドできるように連結され、前記移動ブロック３０の下端には下端が前記十字形チャンバ２の中に位置している移動ロッド２９が固定され、前記移動ロッド２９の下端にはＬ型ロッド１１が固定され、前記Ｌ型ロッド１１の前端には下端が前記スライドチャンバ１５の中に位置しており、また前記針２６を押し動かして運動させることができる推し動かし板２４が設置され、前記移動機構４２は前記十字形チャンバ２の中に位置している二つの位置制限ブロック４を含み、前記十字形チャンバ２の前後端壁の中にはいずれも前記十字形チャンバ２に連通している二つの挟み溝５が設置され、前記挟み溝５の片側端壁には挟みばね６が固定的に連結され、前記挟みばね６の一端には一端が前記十字形チャンバ２の中に位置している台形ブロック７が設置され、二つの前記台形ブロック７が前記位置制限ブロック４をきつく挟み、前記旋転機構４１によって異なる道具を切り替えられる。
【００１３】
有益なように、前記旋転機構４１はまた前記回転軸１２の中に位置しており、且つ下方に開口した昇降チャンバ４３を含み、前記昇降チャンバ４３の上端壁には昇降ばね３２が設置され、前記昇降ばね３２の下端には下端が前記十字形チャンバ２の中に位置している昇降ロッド３１が設置され、前記昇降ロッド３１の下端には受け板２３が設置され、前記受け板２３の上端には円環ブロック２２が設置され、前記転向ギヤ２０の中には下方に開口した環状チャンバ２１が設置され、前記円環ブロック２２の上端が前記環状チャンバ２１の中に位置しており、前記回転軸１２には右端が前記Ｌ型ロッド１１と噛み合うように連結された推し動かしギヤ１３が固定的に連結され、前記推し動かしギヤ１３の前端が前記旋転ギヤ９と噛み合うように連結され、回転している前記推し動かしギヤ１３によって前記Ｌ型ロッド１１を推し動かして運動させる。
【００１４】
有益なように、前記移動機構４２は、また前記移動チャンバ２８の左右端壁の中に位置しており、且つ下方に開口した二つの平行移動チャンバ４４を含み、前記平行移動チャンバ４４の中にはスライドブロック４０が設置され、前記スライドブロック４０の下端には下端が前記十字形チャンバ２の中に位置している平行移動ロッド２７が設置され、前記平行移動ロッド２７の下端が前記針２６と固定的に連結され、前記スライドブロック４０の下端にはまた二つのスライドばね３９が設置され、左側の前記位置制限ブロック４の左端には刃物３が設置され、右側の前記位置制限ブロック４の右端にはソーブレード１４が設置された。
【００１５】
以下、出願人は付図１〜３及び上記本出願の多機能の水晶ネックレスの具体的な構成を参考して本願の多機能の水晶ネックレスの使用方法を詳しく紹介する：
【００１６】
初期状態に、推し動かし板２４が磁性を持っている。
【００１７】
針２６を押し出す時、電磁石２５が作動して針２６を下方へ運動させてスライド溝１６の中に入らせ、スライドばね３９を圧縮し、水晶３３を旋転させ、押し板３４と、旋転軸８と、推し動かしギヤ１３と旋転ギヤ９とを回転連動させ、それによってＬ型ロッド１１を前方へ運動連動させ、それによって推し動かし板２４と針２６とを前方へ運動連動させ、それによって針２６の前端を貫通穴１８を通して押し出す。
【００１８】
ソーブレード１４又は刃物３を押し出す時、押し板３４と水晶３３とを下方へ押し、それによって圧縮ばね３５を圧縮し、旋転軸８と、回転ギヤ１９と旋転ギヤ９とが下方へ運動し、それによって回転ギヤ１９が転向ギヤ２０と噛み合い、押し板３４を下方へ押し続け、それによって旋転ギヤ９が転向ギヤ２０を下方へ運動連動させ、それによって連結板１７と、受け板２３と昇降ロッド３１とが下降し、昇降ばね３２を連結板１７が完全に外部空間に位置するまで引っ張り、そして押し板３４を旋転させ、それによって旋転軸８と転向ギヤ２０とを回転連動させ、それによって連結板１７をソーブレード１４又は刃物３の下側に位置するまで回転連動させ、押し板２４を放し、昇降ばね３２と圧縮ばね３５との作用の下で連結板１７が上方へ運動し、電磁石２５が作動し、位置制限ブロック４を台形ブロック７の摩擦を克服して下降させ、ソーブレード１４又は刃物３をスライドチャンバ１５の中に位置させ、以上のステップを繰り返し、ソーブレード１４又は刃物３の一端を貫通穴１８に正対させた後、旋転ギヤ９が推し動かしギヤ１３と噛み合った後、Ｌ型ロッド１１の作用の下でソーブレード１４又は刃物３を押し出す。
【００１９】
本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
正面視で、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって前記針とソーブレード又は刃物との位置の交換ができ、
前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させ、
前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には前記刃物が設置され、右側の前記位置制限ブロックの右端には前記ソーブレードが設置されたことを特徴とする多機能の水晶ネックレス。
【手続補正２】
【補正対象書類名】明細書
【補正対象項目名】全文
【補正方法】変更
【補正の内容】
【発明の詳細な説明】
【技術分野】
【０００１】
本発明は水晶装飾品分野に関わり、具体的には多機能の水晶ネックレスである。
【背景技術】
【０００２】
現段階の水晶装飾品は観賞と着用機能を持ち、他の機能が付いていなく、一部のネックレスの中には小さい道具が隠れており、しかし、その操作が複雑で、速く操作をして状況に対処するのに便利ではなく、また殆どのはただ単一の状況に対処できる。
【先行技術文献】
【特許文献】
【０００３】
【特許文献１】中国特許出願公開第１０５８５２３３５号明細書
【発明の概要】
【発明が解決しようとする課題】
【０００４】
本発明は多機能の水晶ネックレスを提供し、既存技術にある上記の欠点を解消することを目的とする。
【課題を解決するための手段】
【０００５】
上記の目的を実現するため、本発明は以下の技術プランを提供する：多機能の水晶ネックレスであり、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって前記針とソーブレード又は刃物との位置の交換ができる。
【０００６】
好ましくは、前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させる。
【０００７】
好ましくは、前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には前記刃物が設置され、右側の前記位置制限ブロックの右端には前記ソーブレードが設置された。
【発明の効果】
【０００８】
上記により、本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【図面の簡単な説明】
【０００９】
本発明の実施例又は既存技術の技術ラプンを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜３をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１０】
【図１】図１は本発明の多機能の水晶ネックレスの全体全断面の上面構造略図
【図２】図２は本発明の多機能の水晶ネックレスの全体全断面の左面拡大構造略図
【図３】図３は本発明の多機能の水晶ネックレスの移動機構の全断面の左面拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３を参考し、本発明の実施例は、多機能の水晶ネックレスであり、十字架１及び前記十字架１と連結されたネックレス１０を含み、前記十字架１の中には十字形チャンバ２が設置され、前記十字形チャンバ２の中には旋転機構４１と移動機構４２とが設置され、前記旋転機構４１は上方に開口した押しチャンバ３６を含み、前記押しチャンバ３６の下端壁には上方に開口した環状溝３８が設置され、前記環状溝３８の中には回転できる環状ブロック３７が設置され、前記押しチャンバ３６の中には押し板３４が設置され、前記押し板３４の上端には水晶３３が設置され、また前記押し板３４の下端には下端が前記十字形チャンバ２の中に位置している旋転軸８が設置され、前記押し板３４の下端面にはまた下端が前記環状ブロック３７と連結された二つの圧縮ばね３５が設置され、前記旋転軸８の下端には旋転ギヤ９と回転ギヤ１９とが固定的に連結され、前記十字形チャンバ２の上端壁には回転軸１２が回転できるように連結され、前記回転軸１２には転向ギヤ２０がスライドできるように連結され、前記転向ギヤ２０の前端には連結板１７が固定され、前記連結板１７の中には上方に開口したスライドチャンバ１５が設置され、前記十字形チャンバ２の中には二本の針２６が設置され、前記スライドチャンバ１５の下端壁には前記針２６を収納できるスライド溝１６が設置され、前記スライド溝１６の下端壁の中には二つの電磁石２５が設置され、前記十字形チャンバ２の前端壁には前記針２６に貫通されることができる貫通穴１８が設置され、前記十字形チャンバ２の上端壁の中には下方に開口した移動チャンバ２８が設置され、前記移動チャンバ２８の中には移動ブロック３０がスライドできるように連結され、前記移動ブロック３０の下端には下端が前記十字形チャンバ２の中に位置している移動ロッド２９が固定され、前記移動ロッド２９の下端にはＬ型ロッド１１が固定され、前記Ｌ型ロッド１１の前端には下端が前記スライドチャンバ１５の中に位置しており、また前記針２６を押し動かして運動させることができる推し動かし板２４が設置され、前記移動機構４２は前記十字形チャンバ２の中に位置している二つの位置制限ブロック４を含み、前記十字形チャンバ２の前後端壁の中にはいずれも前記十字形チャンバ２に連通している二つの挟み溝５が設置され、前記挟み溝５の片側端壁には挟みばね６が固定的に連結され、前記挟みばね６の一端には一端が前記十字形チャンバ２の中に位置している台形ブロック７が設置され、二つの前記台形ブロック７が前記位置制限ブロック４をきつく挟み、前記旋転機構４１によって前記針２６とソーブレード１４又は刃物３との位置の交換ができる。
【００１３】
有益なように、前記旋転機構４１はまた前記回転軸１２の中に位置しており、且つ下方に開口した昇降チャンバ４３を含み、前記昇降チャンバ４３の上端壁には昇降ばね３２が設置され、前記昇降ばね３２の下端には下端が前記十字形チャンバ２の中に位置している昇降ロッド３１が設置され、前記昇降ロッド３１の下端には受け板２３が設置され、前記受け板２３の上端には円環ブロック２２が設置され、前記転向ギヤ２０の中には下方に開口した環状チャンバ２１が設置され、前記円環ブロック２２の上端が前記環状チャンバ２１の中に位置しており、前記回転軸１２には右端が前記Ｌ型ロッド１１と噛み合うように連結された推し動かしギヤ１３が固定的に連結され、前記推し動かしギヤ１３の前端が前記旋転ギヤ９と噛み合うように連結され、回転している前記推し動かしギヤ１３によって前記Ｌ型ロッド１１を推し動かして運動させる。
【００１４】
有益なように、前記移動機構４２は、また前記移動チャンバ２８の左右端壁の中に位置しており、且つ下方に開口した二つの平行移動チャンバ４４を含み、前記平行移動チャンバ４４の中にはスライドブロック４０が設置され、前記スライドブロック４０の下端には下端が前記十字形チャンバ２の中に位置している平行移動ロッド２７が設置され、前記平行移動ロッド２７の下端が前記針２６と固定的に連結され、前記スライドブロック４０の下端にはまた二つのスライドばね３９が設置され、左側の前記位置制限ブロック４の左端には前記刃物３が設置され、右側の前記位置制限ブロック４の右端には前記ソーブレード１４が設置された。
【００１５】
以下、出願人は付図１〜３及び上記本出願の多機能の水晶ネックレスの具体的な構成を参考して本願の多機能の水晶ネックレスの使用方法を詳しく紹介する：
【００１６】
初期状態に、推し動かし板２４が磁性を持っている。
【００１７】
針２６を押し出す時、電磁石２５が作動して針２６を下方へ運動させてスライド溝１６の中に入らせ、スライドばね３９を圧縮し、水晶３３を旋転させ、押し板３４と、旋転軸８と、推し動かしギヤ１３と旋転ギヤ９とを回転連動させ、それによってＬ型ロッド１１を前方へ運動連動させ、それによって推し動かし板２４と針２６とを前方へ運動連動させ、それによって針２６の前端を貫通穴１８を通して押し出す。
【００１８】
ソーブレード１４又は刃物３を押し出す時、押し板３４と水晶３３とを下方へ押し、それによって圧縮ばね３５を圧縮し、旋転軸８と、回転ギヤ１９と旋転ギヤ９とが下方へ運動し、それによって回転ギヤ１９が転向ギヤ２０と噛み合い、押し板３４を下方へ押し続け、それによって旋転ギヤ９が転向ギヤ２０を下方へ運動連動させ、それによって連結板１７と、受け板２３と昇降ロッド３１とが下降し、昇降ばね３２を連結板１７が完全に外部空間に位置するまで引っ張り、そして押し板３４を旋転させ、それによって旋転軸８と転向ギヤ２０とを回転連動させ、それによって連結板１７をソーブレード１４又は刃物３の下側に位置するまで回転連動させ、押し板２４を放し、昇降ばね３２と圧縮ばね３５との作用の下で連結板１７が上方へ運動し、電磁石２５が作動し、位置制限ブロック４を台形ブロック７の摩擦を克服して下降させ、ソーブレード１４又は刃物３をスライドチャンバ１５の中に位置させ、以上のステップを繰り返し、ソーブレード１４又は刃物３の一端を貫通穴１８に正対させた後、旋転ギヤ９が推し動かしギヤ１３と噛み合った後、Ｌ型ロッド１１の作用の下でソーブレード１４又は刃物３を押し出す。
【００１９】
本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正書】
【提出日】令和2年8月8日(2020.8.8)
【手続補正１】
【補正対象書類名】特許請求の範囲
【補正対象項目名】請求項１
【補正方法】変更
【補正の内容】
【請求項１】
正面視で、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって前記針と、ソーブレード又は刃物との位置の交換ができ、
前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させ、
前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には前記刃物が設置され、右側の前記位置制限ブロックの右端には前記ソーブレードが設置されたことを特徴とする多機能の水晶ネックレス。
【手続補正２】
【補正対象書類名】明細書
【補正対象項目名】全文
【補正方法】変更
【補正の内容】
【発明の詳細な説明】
【技術分野】
【０００１】
本発明は水晶装飾品分野に関わり、具体的には多機能の水晶ネックレスである。
【背景技術】
【０００２】
現段階の水晶装飾品は観賞と着用機能を持ち、他の機能が付いていなく、一部のネックレスの中には小さい道具が隠れており、しかし、その操作が複雑で、速く操作をして状況に対処するのに便利ではなく、また殆どのはただ単一の状況に対処できる。
【先行技術文献】
【特許文献】
【０００３】
【特許文献１】中国特許出願公開第１０５８５２３３５号明細書
【発明の概要】
【発明が解決しようとする課題】
【０００４】
本発明は多機能の水晶ネックレスを提供し、既存技術にある上記の欠点を解消することを目的とする。
【課題を解決するための手段】
【０００５】
上記の目的を実現するため、本発明は以下の技術プランを提供する：多機能の水晶ネックレスであり、十字架及び前記十字架と連結されたネックレスを含み、前記十字架の中には十字形チャンバが設置され、前記十字形チャンバの中には旋転機構と移動機構とが設置され、前記旋転機構は上方に開口した押しチャンバを含み、前記押しチャンバの下端壁には上方に開口した環状溝が設置され、前記環状溝の中には回転できる環状ブロックが設置され、前記押しチャンバの中には押し板が設置され、前記押し板の上端には水晶が設置され、また前記押し板の下端には下端が前記十字形チャンバの中に位置している旋転軸が設置され、前記押し板の下端面にはまた下端が前記環状ブロックと連結された二つの圧縮ばねが設置され、前記旋転軸の下端には旋転ギヤと回転ギヤとが固定的に連結され、前記十字形チャンバの上端壁には回転軸が回転できるように連結され、前記回転軸には転向ギヤがスライドできるように連結され、前記転向ギヤの前端には連結板が固定され、前記連結板の中には上方に開口したスライドチャンバが設置され、前記十字形チャンバの中には二本の針が設置され、前記スライドチャンバの下端壁には前記針を収納できるスライド溝が設置され、前記スライド溝の下端壁の中には二つの電磁石が設置され、前記十字形チャンバの前端壁には前記針に貫通されることができる貫通穴が設置され、前記十字形チャンバの上端壁の中には下方に開口した移動チャンバが設置され、前記移動チャンバの中には移動ブロックがスライドできるように連結され、前記移動ブロックの下端には下端が前記十字形チャンバの中に位置している移動ロッドが固定され、前記移動ロッドの下端にはＬ型ロッドが固定され、前記Ｌ型ロッドの前端には下端が前記スライドチャンバの中に位置しており、また前記針を押し動かして運動させることができる推し動かし板が設置され、前記移動機構は前記十字形チャンバの中に位置している二つの位置制限ブロックを含み、前記十字形チャンバの前後端壁の中にはいずれも前記十字形チャンバに連通している二つの挟み溝が設置され、前記挟み溝の片側端壁には挟みばねが固定的に連結され、前記挟みばねの一端には一端が前記十字形チャンバの中に位置している台形ブロックが設置され、二つの前記台形ブロックが前記位置制限ブロックをきつく挟み、前記旋転機構によって前記針と、ソーブレード又は刃物との位置の交換ができる。
【０００６】
好ましくは、前記旋転機構はまた前記回転軸の中に位置しており、且つ下方に開口した昇降チャンバを含み、前記昇降チャンバの上端壁には昇降ばねが設置され、前記昇降ばねの下端には下端が前記十字形チャンバの中に位置している昇降ロッドが設置され、前記昇降ロッドの下端には受け板が設置され、前記受け板の上端には円環ブロックが設置され、前記転向ギヤの中には下方に開口した環状チャンバが設置され、前記円環ブロックの上端が前記環状チャンバの中に位置しており、前記回転軸には右端が前記Ｌ型ロッドと噛み合うように連結された推し動かしギヤが固定的に連結され、前記推し動かしギヤの前端が前記旋転ギヤと噛み合うように連結され、回転している前記推し動かしギヤによって前記Ｌ型ロッドを推し動かして運動させる。
【０００７】
好ましくは、前記移動機構は、また前記移動チャンバの左右端壁の中に位置しており、且つ下方に開口した二つの平行移動チャンバを含み、前記平行移動チャンバの中にはスライドブロックが設置され、前記スライドブロックの下端には下端が前記十字形チャンバの中に位置している平行移動ロッドが設置され、前記平行移動ロッドの下端が前記針と固定的に連結され、前記スライドブロックの下端にはまた二つのスライドばねが設置され、左側の前記位置制限ブロックの左端には前記刃物が設置され、右側の前記位置制限ブロックの右端には前記ソーブレードが設置された。
【発明の効果】
【０００８】
上記により、本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【図面の簡単な説明】
【０００９】
本発明の実施例又は既存技術の技術ラプンを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜３をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１０】
【図１】図１は本発明の多機能の水晶ネックレスの全体全断面の上面構造略図
【図２】図２は本発明の多機能の水晶ネックレスの全体全断面の左面拡大構造略図
【図３】図３は本発明の多機能の水晶ネックレスの移動機構の全断面の左面拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３を参考し、本発明の実施例は、多機能の水晶ネックレスであり、十字架１及び前記十字架１と連結されたネックレス１０を含み、前記十字架１の中には十字形チャンバ２が設置され、前記十字形チャンバ２の中には旋転機構４１と移動機構４２とが設置され、前記旋転機構４１は上方に開口した押しチャンバ３６を含み、前記押しチャンバ３６の下端壁には上方に開口した環状溝３８が設置され、前記環状溝３８の中には回転できる環状ブロック３７が設置され、前記押しチャンバ３６の中には押し板３４が設置され、前記押し板３４の上端には水晶３３が設置され、また前記押し板３４の下端には下端が前記十字形チャンバ２の中に位置している旋転軸８が設置され、前記押し板３４の下端面にはまた下端が前記環状ブロック３７と連結された二つの圧縮ばね３５が設置され、前記旋転軸８の下端には旋転ギヤ９と回転ギヤ１９とが固定的に連結され、前記十字形チャンバ２の上端壁には回転軸１２が回転できるように連結され、前記回転軸１２には転向ギヤ２０がスライドできるように連結され、前記転向ギヤ２０の前端には連結板１７が固定され、前記連結板１７の中には上方に開口したスライドチャンバ１５が設置され、前記十字形チャンバ２の中には二本の針２６が設置され、前記スライドチャンバ１５の下端壁には前記針２６を収納できるスライド溝１６が設置され、前記スライド溝１６の下端壁の中には二つの電磁石２５が設置され、前記十字形チャンバ２の前端壁には前記針２６に貫通されることができる貫通穴１８が設置され、前記十字形チャンバ２の上端壁の中には下方に開口した移動チャンバ２８が設置され、前記移動チャンバ２８の中には移動ブロック３０がスライドできるように連結され、前記移動ブロック３０の下端には下端が前記十字形チャンバ２の中に位置している移動ロッド２９が固定され、前記移動ロッド２９の下端にはＬ型ロッド１１が固定され、前記Ｌ型ロッド１１の前端には下端が前記スライドチャンバ１５の中に位置しており、また前記針２６を押し動かして運動させることができる推し動かし板２４が設置され、前記移動機構４２は前記十字形チャンバ２の中に位置している二つの位置制限ブロック４を含み、前記十字形チャンバ２の前後端壁の中にはいずれも前記十字形チャンバ２に連通している二つの挟み溝５が設置され、前記挟み溝５の片側端壁には挟みばね６が固定的に連結され、前記挟みばね６の一端には一端が前記十字形チャンバ２の中に位置している台形ブロック７が設置され、二つの前記台形ブロック７が前記位置制限ブロック４をきつく挟み、前記旋転機構４１によって前記針２６と、ソーブレード１４又は刃物３との位置の交換ができる。
【００１３】
有益なように、前記旋転機構４１はまた前記回転軸１２の中に位置しており、且つ下方に開口した昇降チャンバ４３を含み、前記昇降チャンバ４３の上端壁には昇降ばね３２が設置され、前記昇降ばね３２の下端には下端が前記十字形チャンバ２の中に位置している昇降ロッド３１が設置され、前記昇降ロッド３１の下端には受け板２３が設置され、前記受け板２３の上端には円環ブロック２２が設置され、前記転向ギヤ２０の中には下方に開口した環状チャンバ２１が設置され、前記円環ブロック２２の上端が前記環状チャンバ２１の中に位置しており、前記回転軸１２には右端が前記Ｌ型ロッド１１と噛み合うように連結された推し動かしギヤ１３が固定的に連結され、前記推し動かしギヤ１３の前端が前記旋転ギヤ９と噛み合うように連結され、回転している前記推し動かしギヤ１３によって前記Ｌ型ロッド１１を推し動かして運動させる。
【００１４】
有益なように、前記移動機構４２は、また前記移動チャンバ２８の左右端壁の中に位置しており、且つ下方に開口した二つの平行移動チャンバ４４を含み、前記平行移動チャンバ４４の中にはスライドブロック４０が設置され、前記スライドブロック４０の下端には下端が前記十字形チャンバ２の中に位置している平行移動ロッド２７が設置され、前記平行移動ロッド２７の下端が前記針２６と固定的に連結され、前記スライドブロック４０の下端にはまた二つのスライドばね３９が設置され、左側の前記位置制限ブロック４の左端には前記刃物３が設置され、右側の前記位置制限ブロック４の右端には前記ソーブレード１４が設置された。
【００１５】
以下、出願人は付図１〜３及び上記本出願の多機能の水晶ネックレスの具体的な構成を参考して本願の多機能の水晶ネックレスの使用方法を詳しく紹介する：
【００１６】
初期状態に、推し動かし板２４が磁性を持っている。
【００１７】
針２６を押し出す時、電磁石２５が作動して針２６を下方へ運動させてスライド溝１６の中に入らせ、スライドばね３９を圧縮し、水晶３３を旋転させ、押し板３４と、旋転軸８と、推し動かしギヤ１３と旋転ギヤ９とを回転連動させ、それによってＬ型ロッド１１を前方へ運動連動させ、それによって推し動かし板２４と針２６とを前方へ運動連動させ、それによって針２６の前端を貫通穴１８を通して押し出す。
【００１８】
ソーブレード１４又は刃物３を押し出す時、押し板３４と水晶３３とを下方へ押し、それによって圧縮ばね３５を圧縮し、旋転軸８と、回転ギヤ１９と旋転ギヤ９とが下方へ運動し、それによって回転ギヤ１９が転向ギヤ２０と噛み合い、押し板３４を下方へ押し続け、それによって旋転ギヤ９が転向ギヤ２０を下方へ運動連動させ、それによって連結板１７と、受け板２３と昇降ロッド３１とが下降し、昇降ばね３２を連結板１７が完全に外部空間に位置するまで引っ張り、そして押し板３４を旋転させ、それによって旋転軸８と転向ギヤ２０とを回転連動させ、それによって連結板１７をソーブレード１４又は刃物３の下側に位置するまで回転連動させ、押し板２４を放し、昇降ばね３２と圧縮ばね３５との作用の下で連結板１７が上方へ運動し、電磁石２５が作動し、位置制限ブロック４を台形ブロック７の摩擦を克服して下降させ、ソーブレード１４又は刃物３をスライドチャンバ１５の中に位置させ、以上のステップを繰り返し、ソーブレード１４又は刃物３の一端を貫通穴１８に正対させた後、旋転ギヤ９が推し動かしギヤ１３と噛み合った後、Ｌ型ロッド１１の作用の下でソーブレード１４又は刃物３を押し出す。
【００１９】
本発明の有益な効果は：本装置は構造が簡単で、操作が便利であり、様々な道具をネットレスの中に人目につかないように隠し、ネックレスの外観に影響しない上に、ネックレスの中の利用できる空間を合理的に利用し、これらの道具を使う必要がある突発状況に対処するのに便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。